(57)【要約】【課題】光源ユニットの筐体への着脱作業性が良く、かつ位置決め精度の高い光源装置を得る。【解決手段】光源装置は、筐体１０と筐体１０に着脱自在な光源ユニット２０を備える。筐体１０に光源ユニット２０の挿入または排出するＸ方向に関して位置決めするための第１係止部材３０、３２と、光源ユニット２０を第１係止部材３０、３２に向かって付勢する第１付勢部材とを設ける。同様に、光源ユニット２０をＹ方向に関して位置決めする第２係止部材４０、４２および第２付勢部材４４、４６と、光源ユニット２０をＺ方向に関して位置決めする第３係止部材５０、５２、および第３付勢部材５４、５６を筐体１０に設ける。第１係止部材３０、３２は光源ユニット２０の挿入または排出時に２つのヒートシンク２４、２６の間に退避する。【選択図】        図１
2004201754.tif 000002
【特許請求の範囲】
【請求項１】
ランプと一対のヒートシンクとを一体的に構成して成る光源ユニットと、前記光源ユニットを着脱自在な筐体とを備え、前記筐体に対して前記光源ユニットが第１方向に沿って挿入または排出される光源装置であって、
前記光源ユニットの前記筐体への装着時に、前記光源ユニットと係合し前記第１方向に関して前記光源ユニットを前記筐体の所定位置に位置決めする第１係止部材と、
前記第１係止部材に向かって前記光源ユニットを付勢する第１付勢部材と、
前記光源ユニットの前記筐体への装着時に、前記第１方向に垂直な第２方向に関して前記光源ユニットを筐体の所定位置に位置決めする第２係止部材と、
前記第２係止部材に向かって前記光源ユニットを付勢する第２付勢部材と、
前記光源ユニットの前記筐体への装着時に、前記第１および第２方向の双方に垂直な第３方向に関して前記光源ユニットを筐体の所定位置に位置決めする第３係止部材と、
前記第３係止部材に向かって前記光源ユニットを付勢する第３付勢部材とを備え、
前記光源ユニットの挿入時または排出時に、前記第１係止部材が前記光源ユニットから退避して両者の係合が解除されることを特徴とする光源装置。
【請求項２】
前記第１係止部材が、前記筐体の底面部に一体的に固定された固定部と、この固定部の一端から延びる弾性部とを備え、前記光源ユニットの挿入時には前記弾性部が前記光源ユニットの押圧によって弾性変形し、前記光源ユニットの装着時には前記弾性部が元の位置に復元して前記光源ユニットに係合し、前記光源ユニットの排出時には前記弾性部が外力により弾性変形させられて前記光源ユニットから退避させられることを特徴とする請求項１に記載の光源装置。
【請求項３】
前記光源ユニットと前記第１係止部材との係合が解除されると、前記第１付勢部材の付勢力によって前記光源ユニットが前記筐体から自動的に所定量だけ排出されることを特徴とする請求項１に記載の光源装置。
【請求項４】
前記第１、第２および第３付勢部材が、それぞれＵ字状の板バネであることを特徴とする請求項１に記載の光源装置。
【発明の詳細な説明】
【０００１】
【発明の属する技術分野】
本発明は、内視鏡に光学的に接続されて照明光を内視鏡に供給する光源装置に関し、特にその光源ランプの支持機構に関するものである。
【０００２】
【従来の技術】
一般に、内視鏡は照明光を供給する光源装置に光学的に接続され、光源装置からの照明光を内視鏡のライトガイドにより体内挿入部先端へ導き、その前方の被検査部を照明する。被検査部の光学像はイメージガイドファイバを介して接眼部へ導かれ、接眼部から被検査部が観察される。このような目的で使用される光源装置の光源ランプには高輝度のランプ、例えばキセノンランプが好適に用いられる。
【０００３】
高輝度ランプを使用する光源装置では、点灯時に高温となるランプを冷却するための放熱部材であるヒートシンクをランプの保持部材として使用している。例えば特許文献１に示すように、ランプおよびヒートシンクからなるランプユニットは、光源装置の固定基板に固定ネジにより固定され、内視鏡のライトガイドに対する照明光の光軸のブレがないように高精度に位置決めされる。
【０００４】
ところが、ランプは一定の使用時間例えば２００時間が経過すれば新しいものに交換され、この交換の度に手作業で固定ネジを回してランプユニットを着脱しなければならないので、交換作業は非常に煩わしいものであった。また、ランプの位置精度を左右する取付ネジおよびその受け部の寸法精度を非常に高くする必要があり、設計および加工が困難となる問題がある。
【０００５】
【特許文献１】
特公平７−７０８５０号公報
【０００６】
【発明が解決しようとする課題】
本発明は上記問題点に鑑みて成されたものであり、ヒートシンクを備えた光源ユニットの着脱作業性が良く、かつ位置決め精度の高い光源装置を得ることが課題である。
【０００７】
【課題を解決するための手段】
本発明の光源装置は、ランプと一対のヒートシンクとを一体的に構成して成る光源ユニットと、光源ユニットを着脱自在な筐体とを備え、筐体に対して光源ユニットが第１方向に沿って挿入または排出される光源装置であって、光源ユニットの筐体への装着時に、光源ユニットと係合し第１方向に関して光源ユニットを筐体の所定位置に位置決めする第１係止部材と、第１係止部材に向かって光源ユニットを付勢する第１付勢部材と、光源ユニットの筐体への装着時に、第１方向に垂直な第２方向に関して光源ユニットを筐体の所定位置に位置決めする第２係止部材と、第２係止部材に向かって光源ユニットを付勢する第２付勢部材と、光源ユニットの筐体への装着時に、第１および第２方向の双方に垂直な第３方向に関して光源ユニットを筐体の所定位置に位置決めする第３係止部材と、第３係止部材に向かって光源ユニットを付勢する第３付勢部材とを備え、光源ユニットの挿入時または排出時に、第１係止部材が光源ユニットから退避して両者の係合が解除されることを特徴とする光源装置。
【０００８】
上記光源装置において、好ましくは、第１係止部材が、筐体の底面部に一体的に固定された固定部と、この固定部の一端から延びる弾性部とを備え、光源ユニットの挿入時には弾性部が光源ユニットの押圧によって弾性変形し、光源ユニットの装着時には弾性部が元の位置に復元して光源ユニットに係合し、光源ユニットの排出時には弾性部が外力により弾性変形させられて光源ユニットから退避させられる。また、好ましくは、光源ユニットと第１係止部材との係合が解除されると、第１付勢部材の付勢力によって光源ユニットが筐体から自動的に所定量だけ排出される。
【０００９】
上記光源装置において、第１、第２および第３付勢部材が、例えばそれぞれＵ字状の板バネである。
【００１０】
【発明の実施の形態】
以下、本発明の実施形態について添付図面を参照して説明する。
【００１１】
図１は、本発明の実施形態である光源装置を、光源ユニットが挿入／排出される正面側から見た斜視図であって、その一部を破断して示している。図２は光源装置の一部である光源ユニットの縦断面図である。図３は光源装置を構成する第１係止部材の部分拡大斜視図である。図４は光源装置を図１の背面側から見た斜視図、図５は光源装置の図１の正面図、図６は図５のＶＩ−ＶＩ線における端面図である。なお、この光源装置は電源（不図示）と共に、内視鏡（ファイバースコープ）用光源装置内、または電子内視鏡用画像処理装置（プロセッサ）内に設置される。
【００１２】
光源装置は、光源ランプ２２と一対のヒートシンク２４、２６とを一体的にして構成された光源ユニット２０と、この光源ユニット２０を着脱自在に収容・支持する筐体１０とを備える。筐体１０は、絶縁性の合成樹脂材料から形成されたロの字断面の筒状体であり、互いに平行な左側面板部１２および右側面板部１４と、これら側面板部１２、１４の上端を連結する上面板部１６と、２つの側面板部１２、１４の下端近傍を連結する底面板部１８とを備える。底面板部１８は筐体１０の載置面から僅かに離間している。光源ユニット２０は筐体１０の正面側開口部１０ａから挿入あるいは排出される。
【００１３】
図２に詳細に示すように、光源ランプ２２は円筒状を呈するキセノンランプであり、その外周面の両端部には陽極２２２および陰極２２４が設けられ、陽極２２２は陽極側ヒートシンク２４に保持され、陰極２２４は陰極側ヒートシンク２６に保持される。２つのヒートシンク２４、２６は、熱伝導率が高く、かつ軽量化できると共に、電気伝導率の良好な材料、例えばアルミニウム等の金属部材から一体成型により形成され、不図示の電源から光源ランプ２２への給電端子（陽極、陰極の各端子）としてもそれぞれ兼用される。
【００１４】
陽極側ヒートシンク２４は、光源ランプ２２の陽極２２２の一部を嵌入するための円柱穴２４２が略中央に形成された長方形板部２４４と、この長方形板部２４４から光源ランプ２２の反対側（図２の左方）に向かって水平に延びる複数の長方形板部材であるフィン２４６とを備える。光源ランプ２２の陽極２２の一部は円柱穴２４２に嵌入された状態でネジ２４８により固定される。
【００１５】
一方、陰極側ヒートシンク２６は、陽極側ヒートシンク２４と略同様の寸法形状を呈しており、光源ランプ２２の陰極２２４を嵌入するための円柱穴２６２が略中央に形成された長方形板部２６４と、この長方形板部２６４から光源ランプ２２の反対側（図２の右方）に向かって水平に延びる複数のフィン２６６とを備える。光源ランプ２２の陰極側端部は円柱穴２６２に嵌入された状態で、図示しない締結機構によって締結固定される。締結機構としては、例えば円柱穴２６２に連通するスリットを長方形板部２６４に形成してこのスリットの間隔をネジによって狭めることによって円柱穴２６２を縮径させる構成や、また円柱穴２６２に連通するスリットを長方形板部２６４に形成しかつ長方形板部２６４に円柱穴２６２を縮径させる方向に弾性を付与する構成等が挙げられるが、特に限定されない。
【００１６】
光源ユニット２０が筐体１０の内部の所定位置に装着されたとき（図１参照）、陽極２２２および陰極２２４は、それぞれ対応する陽極側ヒートシンク２４および陰極側ヒートシンク２６及び給電線（不図示）を介して電源の図示しない電極端子に接続される。また、光源ユニット２０の背面側には図示しない冷却用ファンが設けられ、両ヒートシンク２４、２６の放熱効果を高めている。
【００１７】
光源装置１０が電源から給電されると、平行光である照明光が陰極側端面２２６からその前方に出射される。陰極側ヒートシンク２６のフィン２６６は、陰極側端面２２６に対向する箇所には設けられず、照明光はフィン２６６に干渉されることなく、その光軸と略垂直な側面板部１４の円形穴に嵌められたフィルタ１４ａを通って筐体１０の外側に出射され、集光レンズおよび絞り（図示せず）を介して内視鏡のライトガイド（図示せず）の端面に集光される。図１においては照明光の光軸を一点鎖線Ｌで示している。
【００１８】
照明光が常に一定方向で出射されるためには、光源ランプ２２はまず陽極側ヒートシンク２４および陰極側ヒートシンク２６に対して高精度にかつ安定した状態で位置決めされなければならず、このため、まず陽極側ヒートシンク２４にネジ固定する際に、光源ランプ２２の位置は光軸Ｌが陽極側ヒートシンク２４の中心軸に平行になるように微調整される。そして、光源ランプ２２の陰極側ヒートシンク２６への取付は、陽極側ヒートシンク２４で定められた位置を基準として、その保持すべき位置が調整される。
【００１９】
またさらに、照明光が常に一定方向で出射されるためには、光源ユニット２０全体が筐体１０に対して高精度に位置決めされなければならない。本実施形態では、光源ユニット２０全体を筐体１０に対して互いに直交する３軸方向について高精度に位置決めする位置決め機構を設けている。
【００２０】
ここで、光源ユニット２０が筐体１０の正面側開口部１０ａから挿入または排出される方向をＸ軸方向（第１方向）、水平面上においてＸ軸に直交する方向をＹ軸方向（第２方向）、鉛直方向に実質的に一致する方向をＺ軸方向（第３方向）と定義する。光軸ＬはＹ方向に実質的に一致し、左側面板部１２および右側面板部１４はＸＺ平面に平行であり、上面板部１６および底面板部１８はＸＹ平面に平行である。
【００２１】
図１および図４に示すように光源ユニット２０が筐体１０に装着されたとき、光源ユニット２０は、第１係止部材３０、３２および第１付勢部材３４、３６の協働によりＸ軸方向に関して所定位置に位置決めされ、同時に第２係止部材４０、４２および第２付勢部材４４、４６の協働によりＹ軸方向に関して所定位置に位置決めされ、第３係止部材５０、５２および第３付勢部材５４、５６の協働によりＺ軸方向に関して所定位置に位置決めされる。
【００２２】
第１係止部材３０および３２は、それぞれ筐体１０の底面板部１８に固定されてＸ軸方向全体に渡って延びる可撓性合成樹脂部材であり、光源ユニット２０装着時の２つのヒートシンク２４、２６の間であって光源ランプ２２の下方に配される（図５および図６参照）。図３を参照すると、第１係止部材３０は、底面板部１８に一体的に固定される固定部３０２を備え、この固定部３０２はＸＺ平面に平行な平板状を呈し、底面板部１８のＹ軸方向略中央から背面側開口部１０ｂに至るまで延びている。さらに第１係止部材３０は、固定部３０２の正面側端部から正面側開口部１０ａに向かって延びる弾性部３０３を備え、この弾性部３０３はＸＹ平面に平行な直角三角形の三角板部３０４と、この三角板部３０４と固定部３０２の上端部とを連結する角柱部３０５とから成る。弾性部３０３のさらに正面側端部には摘み部３０６が一体的に設けられ、この摘み部３０６は三角板部３０４と直交するＸＺ平面に平行な平板であり、その最上端面３０６ａはＸＹ平面に平行である。
【００２３】
光源ユニット２０の装着時（図１参照）には、第１係止部材３０の固定部３０２は陽極側ヒートシンク２４の光源ランプ側の側面から離間した位置にあるが、弾性部３０３の三角板部３０４はＹＺ平面に平行な側面３０４ａにおいて陽極側ヒートシンク２４の正面に当接しており、第１係止部材３０は陽極側ヒートシンク２４と係合している。このとき、陽極側ヒートシンク２４は、その背面側に設けられたＵ字状の板バネである第１付勢部材３４によって正面側に、即ち側面３０４ａに向かって押圧付勢される。これにより、陽極側ヒートシンク２４はその正面が第１係止部材３０の側面３０４ａに当接する位置でＸ軸方向に位置決めされる。
【００２４】
第１係止部材３２は、光源ユニット２０装着時の２つのヒートシンク２４、２６の中間点を含むＸＺ平面に対して第１係止部材３０と対称的に形成されていること以外は第１係止部材３０と同様の構成を有しており、対応する構成には符号に２０を加算して示している。即ち、第１係止部材３２は底面板部１８に一体的に固定される固定部３２２と、固定部３２２から正面側に延びて陰極側ヒートシンク２６と係合する弾性部３２３（三角板部３２４および角柱部３２５）と、弾性部３２３の先端に設けられた摘み部３２６とを備え、弾性部３２３の一部である三角板部３２４の側面３２４ａが陰極側ヒートシンク２６の正面に当接し、このとき陰極側ヒートシンク２６がその背面側に設けられた第１付勢部材３６により正面側へ押圧付勢されることにより、陰極側ヒートシンク２６がＸ軸方向に位置決めされる。
【００２５】
図５参照を参照すると、２つの摘み部３０６および３２６が操作されず弾性部３０３、３２３が自然状態の時には弾性部３０３の最左端部と弾性部３２３の最右端部とのＹ軸方向距離Ｌ１が２つのヒートシンク２４および２６間のＹ軸方向距離Ｌ２よりも大きく、かつ２つの摘み部３０６および３２６を互いに接近させて両弾性部３０３および３２３を弾性変形させた時には弾性部３０３の最左端部と弾性部３２４の最右端部との距離Ｌ１がヒートシンク２４および２６間の距離Ｌ２より小さくなるように、弾性部３０３、３２３を構成する各板状部３０４、３０５、３２４および３２５の寸法が適宜設定される。
【００２６】
このように、光源ユニット２０は２つの第１係止部材３０および３２と、対応する第１付勢部材３４および３６との協働によってＸ軸方向に位置決めされる。第１付勢部材３４および３６は、それぞれ帯状の可撓性部材の一端部を底面板部１８の背面側縁部に固定し、側方から見た時に略Ｕ字を上下反転させた形状に曲折することによりＸ軸方向に弾性を付与した板バネであり、他方の端部は自由端で底面板部１８に対してＸ軸方向に摺動自在である。なお、図では第１付勢部材３４および３６の側面は平板状であるが、付勢力を発生しやすいように中央が僅かに外側に膨らんだ形状を呈している。第１付勢部材３４および３６は、光源ユニット２０が装着されると各ヒートシンク２４および２６の背面によって背面側に自由端部が相対移動して撓められ、その反発力によりヒートシンク２４および２６を正面側へ押圧付勢する。なお、第１付勢部材３４および３６は対応するヒートシンク２４および２６のＹ軸方向の略中央を押圧するように配される。
【００２７】
次に、Ｙ軸方向の位置決め機構である第２係止部材４０、４２および第２付勢部材４４、４６について説明する。第２係止部材４０は、底面板部１８から上方に延びＸＺ平面に平行な一定幅の板部材であり、底面板部１８のＹ軸方向略中央であってかつ第１係止部材３０の図１左方側に位置し、正面側開口部１０ａから背面側開口部１０ｂまでＸ軸方向全体に渡って延びている。また、第２係止部材４０の上端面は、第１係止部材３０の弾性部３０３および摘み部３０６の弾性変形を阻害しないようにそれらの下端面より低く設定される。一方、もう一つの第２係止部材４２は、上面板部１６から下方に延びＸＺ平面に平行な一定幅の板部材であり、底面側の第２係止部材４０と同じＹ位置に設けられる。
【００２８】
光源ユニット２０の装着時には、底面側の第２係止部材４０は陽極側ヒートシンク２４の右方側面、厳密には長方形板部２４４の右方側面の底面側縁部に当接し、また上面側の第２係止部材４２は陽極側ヒートシンク２４の上面側縁部に当接する。このとき、左側面板部１２と陽極側ヒートシンク２４との間に配された２つの第２付勢部材４４および４６により、陽極側ヒートシンク２４は図１の右方へ向かって押圧付勢され、第２係止部材４０および４２に実質的に隙間なく密着させられる。底面側に設けられた第２付勢部材４４は陽極側ヒートシンク２４の右方側底面縁部をＸ軸方向の全体に渡って略均一な力で第２係止部材４０に向かって押圧し、上面側に設けられた第２付勢部材４６は陽極側ヒートシンク２４の右方側上面縁部をＸ軸方向の全体に渡って略均一な力で第２係止部材４２に向かって押圧する。
【００２９】
このように、陽極側ヒートシンク２４は２つの第２係止部材４０および４２と、対応する第２付勢部材４４および４６との協働によってＹ軸方向に位置決めされる。光源ユニット２０のＹ軸方向における位置決めでは、陽極側ヒートシンク２４のみ筐体１０に係合させている。これは、上述したように光源ランプ２２の相対位置が陽極側ヒートシンク２４を基準にして行われかつネジで強固に固定されるためであり、陰極側ヒートシンク２４を係止部材と付勢部材とで位置決めするよりも位置精度が向上する。なお、第２付勢部材４４および４６は、それぞれ帯状の可撓性部材の一端部を左側面板部１２の背面側縁部に固定し、上方から見た時にＵ字状に曲折することによりＸ軸方向に弾性を付与した板バネであり、他方の端部は自由端である。
【００３０】
続いて、Ｚ軸方向の位置決め機構である第３係止部材５０、５２および第３付勢部材５４、５６について説明する。第３係止部材５０は、底面板部１８の左方側に一体的に設けられＸ軸方向全体に渡って延びる２本のレール部材であり、陽極側ヒートシンク２４の底面を摺動自在に支持する。陽極側ヒートシンク２４に当接するレール面はＸＹ平面に平行であり、それらレール面のＺ位置は陽極側ヒートシンク２４を第２係止部材４０に係止させるために第２係止部材４０の上面よりも低い位置に設定される。一方、もう一つの第３係止部材５２は、底面板部１８の右方側に一体的に設けられＸ軸方向全体に渡って延びる２本のレール部材であり、そのレール面はＸＹ平面に平行かつ第３係止部材５０のレール面と同じ高さ（Ｚ位置）にある。第３係止部材５２は陰極側ヒートシンク２６の底面を摺動自在に支持する。
【００３１】
光源ユニット２０の装着時には、左方側の第３係止部材５０は陽極側ヒートシンク２４を底面部１８から離間した状態で支持し、このとき上面板部１６と陽極側ヒートシンク２４との間に配された第３付勢部材５４により、陽極側ヒートシンク２４はＸ軸方向の全体に渡って略均一な力で鉛直下方へ向かって押圧付勢され、第３係止部材５０に実質的に隙間なく密着させられる。陰極側ヒートシンク２６についても同様、右方側の第３係止部材５２に支持されると共に、上面板部１６と陰極側ヒートシンク２６との間に配された第３付勢部材５６により、鉛直下方へ向かってＸ軸方向の全体に渡って略均一な力で押圧付勢されて第３係止部材５２に実質的に隙間なく密着させられる。
【００３２】
このように、２つのヒートシンク２４、２６即ち光源ユニット２０は２つの第３係止部材５０および５２と、対応する第３付勢部材５４および５６との協働によってＺ軸方向に位置決めされる。第３付勢部材５４および５６は、それぞれ帯状の可撓性部材の一端部を上面板部１６の背面側縁部に固定し、側方から見た時にＵ字状に曲折することによりＸ軸方向に弾性を付与した板バネであり、他方の端部は自由端である。
【００３３】
なお、第１付勢部材３４、３６、第２付勢部材４４、４６および第３付勢部材５４、５６は、筐体１０に形成された凹部（上記付勢部材の記載順に対応して符号６０、６２、６４、６６、６８、７０を付している）にそれぞれ収容されてガイドされており、光源ユニット２０の着脱の繰り返し等による位置ずれが防止されている。これら付勢部材３４、３６、４４、４６、５４および５６は、金属部材から形成してもよいし、可撓性合成樹脂材から形成してもよい。また剛性の板部材とコイルバネとを組み合わせた構成であってもよい。要するに、ヒートシンク２４、２６の全体を所定の方向に略均等な力で付勢する構成であればよく、特に本実施形態のＵ字状板バネに限定されない。
【００３４】
第１係止部材３０、３２、第２係止部材４０、４２、第３係止部材５０、５２は、筐体１０を構成する４つの板部材即ち左側面板部１２、右側面板部１４、上面板部１６および底面板部１８と共に合成樹脂材から一体成型される。
【００３５】
図７（ａ）〜（ｄ）は光源ユニット２０の上面板部を外した状態の内部構成を簡単に示す図であって、光源ユニット２０の筐体１０への挿入動作を段階的に示す図である。なお、図７では第２付勢部材４４、４６は省略される。
【００３６】
光源ユニット２０を筐体１０の正面側開口部１０ａから挿入する際には、図７（ａ）に示すように、両ヒートシンク２４、２６を第３係止部材５０、５２に乗せ、第２係止部材４０、４２に陽極側ヒートシンク２４の側面を当て、両ヒートシンク２４、２６の間を連結する光源ランプ２２の下を第１係止部材３０、３２が潜るようにヒートシンク２４、２６を背面側に向かって手で押圧する。このとき、第２係止部材４０、４２は陽極側ヒートシンク２４のガイドとしての役割を果たす。左方側の第１係止部材３０の弾性部３０３は、その左方に向かって傾斜した斜面３０４ｂに沿って陽極側ヒートシンク２４の角が進入する際に図中右方へ押圧されて弾性変形する。同様に、右方側の弾性部３２３は、その右方に向かって傾斜した斜面３２４ｂに沿って陰極側ヒートシンク２６の角が進入する際に図中左方へ押圧されて弾性変形する。これにより光源ユニット２０の進入が許容される。
【００３７】
図７（ｂ）を参照すると、両ヒートシンク２４、２６は、さらに背面側に押圧されると、第２付勢部材４４、４６および第３付勢部材５４、５６を撓ませつつ、かつ第２係止部材４０、４２および第３係止部材５０、５２にガイドされつつ進入する。これにより、光源ユニット２０は自動的にＹ軸方向およびＺ軸方向に位置決めされる。なお、第２付勢部材４４、４６および第３付勢部材５４、５６の曲面部は、それぞれ正面側に配されており、これにより光源ユニット２０が円滑かつ容易に進入できる。
【００３８】
図７（ｃ）を参照すると、両ヒートシンク２４、２６が第１付勢部材３４、３６に当接した後、さらに第１付勢部材３４、３６を撓ませつつヒートシンク２４、２６の正面が弾性部３０３、３２３よりも背面側に来るまでヒートシンク２４、２６を押し込めると、ヒートシンク２４、２６の側面によって弾性変形させられていた弾性部３０３、３２３が開放されて元の位置に復元する。
【００３９】
その状態でヒートシンク２４、２６から手を離せば、図７（ｄ）に示すように、第１付勢部材３４、３６の付勢力によりヒートシンク２４、２６は第１係止部材３０、３２に係止させられる位置まで戻り、そこで停止させられる。これによりヒートシンク２４、２６は自動的にＸ軸方向に位置決めされる。
【００４０】
一方、光源ランプ２２を交換するために筐体１０から光源ユニット２０を排出する際には、２つの摘み部３０６および３２６を互いに近づけるように両外側から摘むと、弾性部３０３および３２３がそれぞれ弾性変形して、それぞれのヒートシンク２４および２６との係合が解除される。このとき、第１付勢部材３４および３６の付勢力によってヒートシンク２４および２６が正面側へ押し出され、光源ユニット２０は所定量だけ自動的に排出される。これにより、筐体１０から光源ユニット２０を容易に引き出すことができる。
【００４１】
以上説明したように、本実施形態の光源装置は、筐体１０において光源ユニット２０を第１係止部材３０、３２、第２係止部材４０、４２、第３係止部材５０、５２、第１付勢部材３４、３６、第２付勢部材４４、４６および第３付勢部材５４、５６によって、ＸＹＺの３軸方向に高精度に位置決めできる。また、光源ユニット２０を筐体１０へ挿入するだけで３軸方向に自動的に位置決めされるので、挿入時に光源ユニット２０と筐体１０との厳密な位置合わせが不要である。従来のように光源ユニットを挿入させた後にこれを保持しつつネジ止めする構成等に比べて、着脱操作も容易で作業に要する時間を短縮でき、着脱性が極めて向上する。
【００４２】
また、ヒートシンク２４、２６は、第１係止部材３０、３２の側面３０４ａ、３０４ｂと、第２係止部材４０、４２の側面と、第３係止部材５０、５２のレール面とにおいてのみ筐体１０側と接触しており、左側面板部１２、右側面板部１４、上面板部１６および底面板部１８からは離間している。従って、筐体１０とヒートシンク２４、２６との接触面積は極めて少なく、これら第１係止部材３０、３２の側面３０４ａ、３０４ｂ、第２係止部材４０、４２の側面、第３係止部材５０、５２のレール面の寸法さえ高精度に加工すればヒートシンク２４、２６の位置決め精度を高くすることができるので、筐体１０の他の部位の寸法精度は特に高くする必要がなく、製造が容易になり作業工程数を削減できる。
【００４３】
なお、２つの摘み部３０６および３２６の最上端部（３０６ａ）が光源ユニット２０装着時の光源ランプ２２の最下端部よりも低くなるよう必ずしも設定する必要はなく、筐体１０から光源ユニット２０を排出する際に光源ランプ２２と摘み部３０６及び３２６とが干渉しない程度に弾性部３０３および３０５がＺ軸方向（図の下方）に弾性変形すればよい。即ち、２つの摘み部３０６及び３２６を互いに近づけるように摘むと同時にＺ軸に沿って下方に下げて、摘み部３０６および３２６の最上端部３０６ａおよび３２６ａが光源ランプ２２の最下端部よりも低くなる程度に、摘み部３０６および３２６の寸法が設定されればよい。弾性部３０３、３０５はＺ方向への変位を許容するように、固定部３０２、３２２の上端部に接続され、無負荷で底面板部１８から離れた位置に設けられるが、この底面板部１８から弾性部３０３、３０５までの距離も摘み部３０６および３２６と光源ランプ２２との干渉を避ける程度に適宜設定される。これにより、摘み部３０６及び３２６の大きさを扱いやすい大きさに設定出来る。
【００４４】
【発明の効果】
以上説明したように本発明の光源装置は、着脱作業性が良く、かつ位置決め精度の高い光源装置を得ることができる。
【図面の簡単な説明】
【図１】本発明の実施形態である光源装置を光源ユニット挿入・排出方向の正面側から見た斜視図であり、その一部を破断して示す図である。
【図２】図１に示す光源装置の一部である光源ユニットの縦断面図である。
【図３】第１係止部材の部分拡大斜視図である。
【図４】光源装置を図１の背面側から見た斜視図である。
【図５】光源装置の図１の正面図である。
【図６】光源装置の図５のＶＩ−ＶＩ線における端面図である。
【図７】光源ユニットの上面板部を外した状態の内部構成を簡単に示す図であって、光源ユニットの筐体への挿入動作を段階的に示す図である。
【符号の説明】
１０  筐体
２０  光源ユニット
２２  光源ランプ
２４、２６  ヒートシンク
３０、３２  第１係止部材
３４、３６  第１付勢部材
４０、４２  第２係止部材
４４、４６  第２付勢部材
５０、５２  第３係止部材
５４、５６  第３付勢部材
【図１】
2004201754.tif 000003
【図２】
2004201754.tif 000004
【図３】
2004201754.tif 000005
【図４】
2004201754.tif 000006
【図５】
2004201754.tif 000007
【図６】
2004201754.tif 000008
【図７】
2004201754.tif 000009